(57)【要約】【課題】  爆風放散口に対する屋外カバーの固定状態を苛酷な自然環境の下でも良好に維持できるようにし、爆風放散口に屋外カバーを固定するに際しての作業性を良好にする。【解決手段】  爆風放散口３０２の周辺に円周状に形成されたフランジ３０７に沿う曲率を有し、フランジ３０７の上下面にそれぞれ対向する上片３１１と下片３１２とを連結片３１３によって連結し、分割された複数個が集合してフランジ３０７の全周を覆うリング状体３１０を設け、下片３１２の複数箇所にネジ３１６を取り付けられるように構成し、上片３１１に沿って配置されるパッキング３１９と下片３１２に沿って配置される裏板３２０との間に屋外カバー３０３の端部が折り込まれたフランジ３０７を位置させた状態でネジ３１６を締付け、フランジ３０７を屋外カバー３０３の端部と共に裏板３２０とパッキング３１９とで強固に挟持固定できるようにした。【選択図】    図５
2006239500.tif 000002
【特許請求の範囲】
【請求項１】
破砕機（２０２、２０３）での破砕作業によって発生した爆風を逃がすために鉛直方向に向けて開口する爆風放散口（３０２）の周辺に円周状に形成されたフランジ（３０７）に沿う曲率を有し、前記フランジ（３０７）の上面に対向する上片（３１１）と前記フランジ（３０７）の下面に対向する下片（３１２）とが連結片（３１３）によって連結され、分割された複数個が集合して前記フランジ（３０７）の全周を覆うリング状体（３１０）と、
前記下片（３１２）の複数箇所を貫通する貫通孔（３１４）と、
前記貫通孔（３１４）に対応して設けられて軸方向が前記上片（３１１）に向かう方向に設定された複数個のネジ孔と、
前記ネジ孔に螺合して回転することにより先端部（３１７ａ）が前記上片（３１１）に近接離反する複数個のネジ（３１６）と、
前記上片（３１１）に沿って前記上片（３１１）と前記下片（３１２）との間に配置されるパッキング（３１９）と、
前記ネジ（３１６）の軸上で前記下片（３１２）に沿って前記上片（３１１）と前記下片（３１２）との間に配置される裏板（３２０）と、
を備え、前記ネジ（３１６）のストローク量は、前記パッキング（３１９）と前記裏板（３２０）との間の隙間を、前記爆風放散口（３０２）を覆うように取り付けられて前記フランジ（３０７）を包むように縁部（３０３ａ）が折り返された屋外カバー（３０３）と前記フランジ（３０７）とからなる固定対象物に対して、前記リング状体（３１０）の着脱を許容する間隔と挟持固定を許容する間隔との間で変化させる量に設定されている、ことを特徴とする爆風放散口の屋外カバー固定構造体。
【請求項２】
前記リング状体（３１０）は、四分割されている、ことを特徴とする請求項１記載の爆風放散口の屋外カバー固定構造体。
【請求項３】
前記パッキング（３１９）は、前記リング状体（３１０）の大きさに合わせて複数分割されている、ことを特徴とする請求項１記載の爆風放散口の屋外カバー固定構造体。
【請求項４】
前記パッキング（３１９）は、前記リング状体（３１０）の上片（３１１）の幅と略同一の幅を有する、ことを特徴とする請求項１記載の爆風放散口の屋外カバー固定構造体。
【請求項５】
前記裏板（３２０）は、前記リング状体（３１０）の大きさに合わせて複数分割されている、ことを特徴とする請求項１記載の爆風放散口の屋外カバー固定構造体。
【請求項６】
前記上片（３１１）と前記下片（３１２）と前記連結片（３１３）とは、断面コの字型に連結されている、ことを特徴とする請求項１記載の爆風放散口の屋外カバー固定構造体。
【請求項７】
前記ネジ孔は、前記貫通孔（３１４）に対応して前記リング状体（３１０）の下片（３１２）の下面に固着されたナット（３１５）に形成されている、ことを特徴とする請求項１記載の爆風放散口の屋外カバー固定構造体。
【請求項８】
前記ネジ（３１６）は、ボルトネジによって形成されている、ことを特徴とする請求項１記載の爆風放散口の屋外カバー固定構造体。
【発明の詳細な説明】
【技術分野】
【０００１】
本発明は、破砕機の爆風放散口を覆う屋外カバーを爆風放散口に固定するための爆風放散口の屋外カバー固定構造体に関するものである。
【背景技術】
【０００２】
破砕機で破砕処理を行なう廃棄物には、可燃性の気体が残留したガスボンベやスプレー缶などが混在していることがある。このような可燃性の気体が残留した廃棄物を破砕処理すると、破砕処理によって発生した発火が可燃性の気体に引火し、破砕機内で爆発が生ずることがある。
【０００３】
このようなことから、例えば図１１に例示するように、建屋内に設置された破砕機１０１の内部で爆発が生ずることにより発生した爆風を、煙突状の爆風放散パイプ１０２によって建屋外に導くようにしている。図１１に例示する爆風放散パイプ１０２は、その爆風放散口１０３が鉛直方向を向けられているため、爆風放散口１０３から破砕機１０１の内部への雨水の侵入を防止するため、ビニールシート等の屋外カバーを被せる必要がある。
【０００４】
図１２に例示するものは、爆風放散口１０３に屋外カバー１０４を被せる場合の爆風放散口１０３と屋外カバー１０４との固定構造である。図１２に示す一例では、爆風放散口１０３の周辺に円周状に形成されたフランジ１０５に屋外カバー１０４の端部を折り込み、この状態で断面コの字型のゴムパッキング１０６をフランジ１０５に取り付けている。したがって、ゴムパッキング１０６は、屋外カバー１０４の端部もろともフランジ１０５を挟持することになる。そして、図１２には図示しないが、ゴムパッキング１０６の端部を図示しないコーキング部材でコーキングし、シールしている。
【０００５】
なお、屋外に設置されない爆風放散口に対するカバー構造については、例えば特許文献１の特開２００１−６２３２８公報の「破砕装置の爆風排除装置」に開示されている。
【特許文献１】特開２００１−６２３２８
【発明の開示】
【発明が解決しようとする課題】
【０００６】
図１２に例示する屋外カバー１０４の固定構造では、屋外カバー１０４に対する固定力として、専らゴムパッキング１０６によるフランジ１０５の挟持力に依存しているに過ぎない。このため、屋外カバー１０４を固定する力が弱く、強風時に屋外カバー１０４が煽られて屋外カバー１０４が爆風放散口１０３の中心に向けて寄ってしまうことがある。この場合、屋外カバー１０４に皺が寄ってしまうばかりでなく、屋外カバー１０４がずれてコーキング部材によるシール作用が不完全となり、爆風放散口１０３から破砕機１０１の内部へ雨水が侵入し易くなってしまうという問題がある。
【０００７】
また、ゴムパッキング１０６は屋外に置かれて直射日光や風雨に晒されるため、経年変化し易い。このため、ゴムパッキング１０６によるフランジ１０５の挟持力が益々低下してしまうという問題もある。
【０００８】
更に、屋外カバー１０４の端部が折り込まれたフランジ１０５をゴムパッキング１０６で挟持する作業に際しては、ゴムパッキング１０６を変形させたり、屋外カバー１０４に対してフランジ１０５に嵌め込んだゴムパッキング１０６を滑らせて位置合わせしたりしなければならないため、その作業性が悪いという問題もある。
【０００９】
本発明は、上述した問題点を解決するために創案されたものである。すなわち本発明の目的は、爆風放散口に対する屋外カバーの固定状態を苛酷な自然環境の下でも良好に維持できると共に、爆風放散口に屋外カバーを固定するに際しての作業性が良好な爆風放散口の屋外カバー固定構造を提供することにある。
【課題を解決するための手段】
【００１０】
本発明によれば、破砕機（２０２、２０３）での破砕作業によって発生した爆風を逃がすために鉛直方向に向けて開口する爆風放散口（３０２）の周辺に円周状に形成されたフランジ（３０７）に沿う曲率を有し、前記フランジ（３０７）の上面に対向する上片（３１１）と前記フランジ（３０７）の下面に対向する下片（３１２）とが連結片（３１３）によって連結され、分割された複数個が集合して前記フランジ（３０７）の全周を覆うリング状体（３１０）と、前記下片（３１２）の複数箇所を貫通する貫通孔（３１４）と、前記貫通孔（３１４）に対応して設けられて軸方向が前記上片（３１１）に向かう方向に設定された複数個のネジ孔と、前記ネジ孔に螺合して回転することにより先端部（３１７ａ）が前記上片（３１１）に近接離反する複数個のネジ（３１６）と、前記上片（３１１）に沿って前記上片（３１１）と前記下片（３１２）との間に配置されるパッキング（３１９）と、前記ネジ（３１６）の軸上で前記下片（３１２）に沿って前記上片（３１１）と前記下片（３１２）との間に配置される裏板（３２０）と、を備え、前記ネジ（３１６）のストローク量は、前記パッキング（３１９）と前記裏板（３２０）との間の隙間を、前記爆風放散口（３０２）を覆うように取り付けられて前記フランジ（３０７）を包むように縁部（３０３ａ）が折り返された屋外カバー（３０３）と前記フランジ（３０７）とからなる固定対象物に対して、前記リング状体（３１０）の着脱を許容する間隔と挟持固定を許容する間隔との間で変化させる量に設定されている、ことを特徴とする爆風放散口の屋外カバー固定構造体が提供される。
【００１１】
前記リング状体（３１０）は、四分割されている。前記パッキング（３１９）は、前記リング状体（３１０）の大きさに合わせて複数分割されている。前記パッキング（３１９）は、前記リング状体（３１０）の上片（３１１）の幅と略同一の幅を有する。
【００１２】
前記裏板（３２０）は、前記リング状体（３１０）の大きさに合わせて複数分割されている。前記上片（３１１）と前記下片（３１２）と前記連結片（３１３）とは、断面コの字型に連結されている。前記ネジ孔は、前記貫通孔（３１４）に対応して前記リング状体（３１０）の下片（３１２）の下面に固着されたナット（３１５）に形成されている。  前記ネジ（３１６）は、ボルトネジによって形成されている。
【発明の効果】
【００１３】
上記発明の構成では、フランジ（３０７）とこのフランジ（３０７）の部分で縁部が折り返された屋外カバー（３０３）とを、ネジの締付け力によって裏板（３２０）とパッキング（３１９）との間に強固に固定することができ、したがって、爆風放散口（３０２）に対する屋外カバー（３０３）の固定状態を苛酷な自然環境の下でも良好に維持することができ、しかも、爆風放散口（３０２）に屋外カバー（３０３）を固定するに際しての作業性を良好にすることができる。
【発明を実施するための最良の形態】
【００１４】
本発明の爆風放散口の屋外カバー固定構造体は、爆風放散口の周辺に円周状に形成されたフランジの全周を覆うリング状体に、屋外カバーの縁部を固定したものである。
【実施例１】
【００１５】
以下、本発明の好ましい実施の形態を図面を参照して説明する。
図１は本発明の実施の一形態である爆風放散口の屋外カバー固定構造体が用いられる破砕機を概略的に例示する正面図である。
破砕設備２０１には二機の破砕機２０２、２０３が設置されている。第一の破砕機２０２は、図示しない廃棄物を受け入れるための受入ホッパ２０４から第一の受入コンベア２０５に受け渡され、この第一の受入コンベア２０５によって搬送されてきた廃棄物に対して破砕処理を実行する。第二の破砕機２０３は、第一の破砕機２０２によって破砕処理された廃棄物に対して更に破砕処理を実行する。そのための構造として、第一の破砕機２０２によって破砕されて排出された廃棄物を第二の破砕機２０３に向けて搬送する第二の受入コンベア２０６が設けられている。第二の破砕機２０３によって破砕されて排出された廃棄物は、廃棄物搬送コンベア２０７によって廃棄物貯留場２０８に搬送される。
【００１６】
第一の破砕機２０２及び第二の破砕機２０３は、いずれも爆風放散パイプ３０１を有している。二つの爆風放散パイプ３０１は、それぞれ、第一の破砕機２０２と第二の破砕機２０３との内部で爆発が生じた場合、爆風を建屋外に逃がす役割を担っている。このような爆風放散パイプ３０１は、その上部に鉛直方向に向けて開口する爆風放散口３０２が設けられ、これらの爆風放散口３０２にはそれぞれ屋外カバー３０３が固定されている。
【００１７】
以下、爆風放散口３０２に対して屋外カバー３０３を固定する屋外カバー固定構造体３０４について説明する。
図２は爆風放散パイプ３０１の正面図である。
爆風放散パイプ３０１は、接合フランジ３０５を両端に有する複数個のパイプ状体３０６がそれぞれの接合フランジ３０５の部分で接合固定されて構成されている。接合フランジ３０５同士の固定は、例えば溶接による。そして、爆風放散パイプ３０１は、その最上部に鉛直方向に開口する爆風放散口３０２を有する。この爆風放散口３０２は、図２に示すように、正面から見て一方（図２では右側）が高く傾斜した形状を有する。そして、爆風放散口３０２の周辺には円周状にフランジ３０７が形成されている。
【００１８】
このような爆風放散パイプ３０１は、爆風放散口３０２の近傍の外周面に複数個の引掛け部３０８が突出して設けられている。このような引掛け部３０８は、溶接等の手法で爆風放散パイプ３０１の外周面に固定されている。引掛け部３０８の役割は、破砕設備２０１のフレーム構造体２０９に形成された爆風放散パイプ３０１の取り付け用の筒部２１０に引っ掛かり、破砕設備２０１のフレーム構造体２０９に爆風放散パイプ３０１を取り付けることにある。引掛け部３０８の上方には、爆風放散パイプ３０１の外周面に円筒状の防水カバー３０９が固定され、フレーム構造体２０９の筒部２１０と爆風放散パイプ３０１との間の隙間から雨水が破砕設備２０１に浸入するのを防止している。
【００１９】
図３は爆風放散パイプ３０１の側面図である。
側面から見ることで、爆風放散口３０２の周辺に形成されたフランジ３０７の形状が良く分かる。なお、爆風放散パイプ３０１は、一例として、その直径が１ｍ〜２ｍ程度に形成されている。
【００２０】
図４は屋外カバー固定構造体３０４によって屋外カバー３０３が固定された爆風放散口３０２を示す正面図である。
屋外カバー固定構造体３０４は、フランジ３０７に差し込まれてネジ固定されるリング状体３１０を主体として構成されている。以下、その構成の詳細を図５ないし図１０を参照して説明する。
【００２１】
図５は屋外カバー固定構造体３０４による屋外カバー３０３の固定構造を示す縦断正面図である。
リング状体３１０は、フランジ３０７の上方に対向配置される上片３１１とフランジ３０７の下方に対向配置される下片３１２とが連結片３１３で連結された断面コの字形状をした部材である。下片３１２には、複数個の貫通孔３１４が空けられており、これらの貫通孔３１４に位置合わせされて下片３１２の下面にはナット３１５が溶接等の手法で固着されている。ナット３１５は図示しないネジ孔を有する。ネジ孔は、その軸方向を上片３１１に向かう方向に設定されている。
【００２２】
このようなナット３１５には、その図示しないネジ孔に螺合させてボルトネジであるネジ３１６が取り付けられている。ネジ３１６は、ネジ部３１７にボルト状のヘッド部３１８が固着された構造のものである。このようなネジ３１６は、ナット３１５に形成された図示しないネジ孔にネジ部３１７が螺合しており、これによって、例えば図示しないレンチによってヘッド部３１８を回転させることで、ネジ部３１７の先端部３１７ａが上片３１１に近接離反する。
【００２３】
屋外カバー固定構造体３０４は、更に、パッキング３１９と裏板３２０とを有する。パッキング３１９は、上片３１１に沿ってこの上片３１１と下片３１２との間に配置される。裏板３２０は、ネジ３１６の軸上で下片３１２に沿って上片３１１と下片３１２との間に配置される。
【００２４】
図６はリング状体３１０の平面図である。
図６（ａ）に示すように、リング状体３１０は、円周状に形成されたフランジ３０７の曲率に沿う曲率を有してリング状に形成されている。但し、図６（ｂ）に示すように、リング状体３１０は、実際には四分割されている。つまり、リング状体３１０は、四分割されながらも、四分割された複数個の各部が集合してフランジ３０７の全周を覆うように構成されている。もっとも、図６（ａ）に示すように、リング状体３１０は、フランジ３０７の全周を覆う状態にあって、分割された各部同士の間には隙間Ｇが開くように寸法が管理されている。
【００２５】
図７はリング状体３１０の底面図である。
リング状体３１０を構成する上片３１１と下片３１２とは、その外形形状として見た場合には、全くの対象形をなしており、寸法も同一寸法に形成されている。したがって、図７（ａ）に示すように、リング状体３１０は、その底面から見た場合にも、円周状に形成されたフランジ３０７の曲率に沿う曲率を有してリング状に形成されていながら、図７（ｂ）に示すように、実際には四分割されている。したがって、上面から見た場合と同様に、リング状体３１０は、四分割されながらも、四分割された複数個の各部が集合してフランジ３０７の全周を覆うように構成されている。そして、図７（ａ）に示すように、上面から見た場合と同様に、リング状体３１０は、フランジ３０７の全周を覆う状態にあって、分割された各部同士の間には隙間Ｇが開くように寸法が管理されている。
【００２６】
図８はパッキング３１９の平面図である。
図８（ａ）に示すように、パッキング３１９は、リング状体３１０における上片３１１の底面形状に沿うように、円周状に形成されたフランジ３０７の曲率に沿う曲率を有してリング状に形成されている。但し、図８（ｂ）に示すように、パッキング３１９は、実際にはリング状体３１０の大きさに合わせて四分割されている。そして、図８（ａ）に示すように、パッキング３１９は、分割された各部同士の間には、リング状体３１０と同様なだけの隙間Ｇが開くように寸法が管理されている。
【００２７】
図９は裏板３２０の平面図である。
図９（ａ）に示すように、裏板３２０は、リング状体３１０における下片３１２の上面形状に沿うように、円周状に形成されたフランジ３０７の曲率に沿う曲率を有してリング状に形成されている。但し、図９（ｂ）に示すように、裏板３２０は、実際にはリング状体３１０の大きさに合わせて四分割されている。そして、図９（ａ）に示すように、裏板３２０は、分割された各部同士の間には、リング状体３１０と同様なだけの隙間Ｇが開くように寸法が管理されている。
【００２８】
図１０は単一のリング状体３１０を取り出して示す屋外カバー固定構造体３０４の分解斜視図である。
図１０を参照することで、単一のリング状体３１０での屋外カバー固定構造体３０４の構造を容易に把握することができる。
【００２９】
ここで、図６及び図７に例示したように、リング状体３１０は四分割されている。そこで、リング状体３１０の製造に際しては、例えば板金をプレス加工することによって、容易にリング状体３１０を製造することができる。この場合、一例として、平板状の板金を断面コの字形状にプレス加工し、複数回のプレス加工によって曲率を付けることで、四分割されたリング状体３１０の個々の要素を得ることができる。別の製造方法の一例としては、上片３１１と下片３１２と連結片３１３とを別個独立した板金からプレス加工により製造し、これらを接合して四分割されたリング状体３１０の個々の要素を製造することもできる。
【００３０】
パッキング３１９は、例えばゴムによって形成されている。パッキング３１９は、ゴムに限らず、リング状体３１０の上片３１１及び屋外カバー３０３との間である程度の摩擦力が得られる材料によって形成されていることが望ましい。このため、屋外カバー３０３の材料もパッキング３１９の材料の選定に際して参照されるべきである。屋外カバー３０３は、ビニール、キャンバス布地等、防水性が期待できる材料によって形成されていることが望ましい。
【００３１】
裏板３２０は、図５に示すように、ネジ３１６の先端部３１７ａが点接触し、ネジ３１６が締め付けられることによって屋外カバー３０３を介してフランジ３０７の下面に圧接される。この際、ネジ３１６の先端部３１７ａは裏板３２０に対して点圧状態となる。このため、ネジ３１６の締付けによって屋外カバー３０３を介したフランジ３０７の下面への圧接力を高めるためには、裏板３２０は硬度が高いほど良い。そこで、裏板３２０は、板金等の硬度が高い材料によって形成されていることが望ましい。
【００３２】
このような構成において、爆風放散口３０２に屋外カバー３０３を取り付けるには、ネジ３１６を緩めてネジ３１６の先端部３１７ａとリング状体３１０の上片３１１との対向間隔を拡げておく。この際、爆風放散口３０２にはこの爆風放散口３０２を覆うように予め屋外カバー３０３を取り付けておく。屋外カバー３０３は、フランジ３０７を包み込むようにその縁部３０３ａを折り返しておく。この状態で、リング状体３１０の上片３１１と下片３１２との間にパッキング３１９と裏板３２０とを介在させ、これらのパッキング３１９と裏板３２０とでフランジ３０７及び屋外カバー３０３の縁部３０３ａを挟み込むようにしてリング状体３１０をセットする。あるいは、フランジ３０７を包み込むように折り返した屋外カバー３０３の縁部３０３ａの上に予めパッキング３１９を載置した状態でリング状体３１０をセットしても良い。そして、屋外カバー３０３の縁部３０３ａで包まれたフランジ３０７に対してリング状体３１０をセットしたならば、ネジ３１６を締め付ける。この際、例えば図示しないレンチによってネジ３１６のヘッド部３１８を回転させることで、ネジ３１６を容易に締め付けることができる。その結果、ネジ３１６の先端部３１７ａに裏板３２０が押し上げられて裏板３２０とパッキング３１９との間の隙間が狭まり、フランジ３０７とこのフランジ３０７を包み込んでいる屋外カバー３０３の縁部３０３ａとが裏板３２０とパッキング３１９とに強固に挟持される。このような作用からして、ネジ３１６のストローク量は、パッキング３１９と裏板３２０との間の隙間を、フランジ３０７を包むように縁部３０３ａが折り返された屋外カバー３０３とフランジ３０７とからなる固定対象物に対して、リング状体３１０の着脱を許容する間隔と挟持固定を許容する間隔との間で変化させる量に設定されていることになる。
【００３３】
以上説明したように、フランジ３０７とこのフランジ３０７の部分で縁部３０３ａが折り曲げられた屋外カバー３０３とは、ネジ３１６の締付け力によって裏板３２０とパッキング３１９との間に強固に固定される。したがって、爆風放散口３０２に対する屋外カバー３０３の固定状態を苛酷な自然環境の下でも良好に維持することができる。
【００３４】
また、ネジ３１６のストローク量は、前述したように、パッキング３１９と裏板３２０との間の隙間をフランジ３０７とこのフランジ３０７を包むように縁部３０３ａが折り返された屋外カバー３０３とに対してリング状体３１０の着脱を許容し得る間隔に設定されていることから、爆風放散口３０２に屋外カバー３０３を固定するに際しての作業性を良好にすることもできる。リング状体３１０が四分割されていることも、爆風放散口３０２に屋外カバー３０３を固定するための作業性の向上に貢献する。
【００３５】
加えて、図６（ａ）及び図７（ａ）に示すように、リング状体３１０は、フランジ３０７の全周を覆う状態にあって、分割された各部同士の間には隙間Ｇが開くように寸法が管理されている。また、図８（ａ）に示すように、パッキング３１９も、分割された各部同士の間には、リング状体３１０と同様なだけの隙間Ｇが開くように寸法が管理されている。更に、図９（ａ）に示すように、裏板３２０も、分割された各部同士の間には、リング状体３１０と同様なだけの隙間Ｇが開くように寸法が管理されている。したがって、屋外カバー固定構造体３０４は、全体としてみても、四分割されて分割された各部同士の間に隙間Ｇが開くように寸法が管理されている。そこで、屋外カバー固定構造体３０４によって屋外カバー３０３を固定するに際しては、図２〜図４に示すように傾斜した爆風放散口３０２の最下位置に隙間Ｇが位置付けられるように屋外カバー固定構造体３０４を取り付けることで、屋外カバー３０３に溜まろうとする水をその隙間Ｇから排水することが可能となる。
【００３６】
なお、上述した例では、爆風放散口３０２の周辺に円周状に形成されたフランジ３０７の全周を覆うリング状体３１０に、屋外カバー３０３の縁部３０３ａを固定した構造について詳述したが、爆風放散口３０２に対する屋外カバー３０３の固定状態を苛酷な自然環境の下でも良好に維持できる構造であれば、上述した構造に限定されず、本発明の要旨を逸脱しない範囲で種々変更できることは勿論である。
【産業上の利用可能性】
【００３７】
本発明の爆風放散口の屋外カバー固定構造体は、破砕処理等の処理施設以外に何ら爆発が生ずるおそれがない一般の施設の開口に取り付けて利用することができる。
【図面の簡単な説明】
【００３８】
【図１】本発明の実施の一形態である爆風放散口の屋外カバー固定構造体が用いられる破砕機を概略的に例示する正面図である。
【図２】爆風放散パイプの正面図である。
【図３】爆風放散パイプの側面図である。
【図４】屋外カバーが固定された爆風放散口を示す正面図である。
【図５】屋外カバー固定構造体による屋外カバーの固定構造を示す縦断正面図である。
【図６】リング状体の平面図である。
【図７】リング状体の底面図である。
【図８】パッキングの平面図である。
【図９】裏板の平面図である。
【図１０】単一のリング状体を取り出して示す屋外カバー固定構造体の分解斜視図である。
【図１１】建屋内に設置された破砕機からの爆風を爆風放散パイプによって建屋外に導く状態を例示する模式図である。
【図１２】爆風放散口と屋外カバーとの固定構造を締めす縦段側面図である。
【符号の説明】
【００３９】
２０２、２０３      破砕機
３０２      爆風放散口
３０３      屋外カバー
３０３ａ    縁部
３０７      フランジ
３１０      リング状体
３１１      上片
３１２      下片
３１３      連結片
３１４      貫通孔
３１５      ナット
３１６      ネジ
３１７ａ    先端部
３１９      パッキング
３２０      裏板
【図１】
2006239500.tif 000003
【図２】
2006239500.tif 000004
【図３】
2006239500.tif 000005
【図４】
2006239500.tif 000006
【図５】
2006239500.tif 000007
【図６】
2006239500.tif 000008
【図７】
2006239500.tif 000009
【図８】
2006239500.tif 000010
【図９】
2006239500.tif 000011
【図１０】
2006239500.tif 000012
【図１１】
2006239500.tif 000013
【図１２】
2006239500.tif 000014